(57)【要約】【課題】回収容器を安価に構成した上で、着脱容易かつ使い捨て可能とすると共に、排泄物で手を汚すことなく回収できる小型軽量で携帯性に優れた排泄物回収器具を提供する。【解決手段】開閉可能な構造を有する左右のアーム部４０の先に、筒状の形状を有する回収袋支持部２０を備え、その内側に回収袋３０を貫通して通し、回収袋支持部２０の外側で、回収袋３０の開口部から所定の幅だけ折り返して、固定器具で係止することで、回収袋３０の排泄物９０の導入口が回収袋３０の一部で覆われるので、アーム部４０の開閉操作だけで、繰り返し使用する回収袋支持部２０を汚すこと無く、排泄物９０を衛生的に回収できる。また、使い捨て部分に安価な回収袋３０を利用可能としたので、回収した後は回収袋３０ごと廃棄でき、最後まで衛生的に処理できると共に経済性にも優れる。【選択図】        図１
2007029030.tif 000002
【特許請求の範囲】
【請求項１】
左右のアーム部を備え、該左右のアーム部は、該左右のアーム部の第１の端部で、開閉可能なように連結され、該左右のアーム部は該連結部を中心として、略逆Ｖ字状の形状を構成し、
さらに、該左右のアーム部の両方のアーム部の第２の端部には、両端が開放され、内径部と外径部とを有する略筒状の、排泄物を格納する回収袋を取り付けるための回収袋支持部を備えたことを特徴とする排泄物回収器具。
【請求項２】
左右のアーム部を備え、該左右のアーム部は、該左右のアーム部の第１の端部で、開閉可能なように連結され、該左右のアーム部は該連結部を中心として、略逆Ｖ字状の形状を構成し、
さらに、該左右のアーム部の一方のアーム部の第２の端部には、両端が開放され、内径部と外径部とを有する略筒状の、排泄物を格納する回収袋を取り付けるための回収袋支持部を備え、もう一方のアーム部の第２の端部には、排泄物を挟み込む蓋部を備えたことを特徴とする排泄物回収器具。
【請求項３】
前記左右のアーム部を連結する前記連結部付近に、該左右のアーム部に対して前記逆Ｖ字状のＶ字のはさみ角を小さくする方向に押圧された場合に反力を発生する、弾性体を備えたことを特徴とする請求項１または請求項２に記載の排泄物回収器具。
【請求項４】
前記左右のアーム部が、略Ｕ字状の弾性を有する湾曲部を介して接続、あるいは該湾曲部を含む形で一体成形、されていることを特徴とする請求項１又は２に記載の排泄物回収器具。
【請求項５】
前記回収袋支持部には、該回収袋支持部の内径部に、前記回収袋の開口部を貫通して通した上で、該回収袋の開口部が所定の幅の分だけ折り返され、該回収袋の折り返された部分は、所定の留め具により押圧されて、該回収袋支持部の外径部に固定されていることを特徴とする請求項１〜４のいずれか1項に記載の排泄物回収器具。
【請求項６】
前記回収袋支持部には、回収袋支持部の外側の全周あるいは一部に、前記回収袋を固定する固定器具を係合するための、凹部または凸部の部位を設けたことを特徴とする請求項１〜５のいずれか１項に記載の排泄物回収器具。
【請求項７】
前記左右のアーム部と前記回収袋支持部との接続部において、該アーム部が伸びる方向の軸の方向と、該回収袋支持部の両端の開放部の中心を結ぶ軸の方向と、で構成される取り付け角度α、を鋭角にしたことを特徴とする、請求項１〜６のいずれか１項に記載の排泄物回収器具。
【請求項８】
前記回収袋支持部の形状を略円筒状としたことを特徴とする請求項１〜７のいずれか１項に記載の排泄物回収器具。
【請求項９】
前記回収袋支持部の底面を略平板形状に構成したうえで、前記左右のアーム部と前記回収袋支持部との接続部において、該アーム部が伸びる軸の方向と、該回収袋支持部の底面に鉛直な軸の方向と、で構成する取り付け角度θ、を鋭角にしたことを特徴とする請求項１〜７のいずれか１項に記載の排泄物回収器具。
【請求項１０】
前記取り付け角度θを可変可能としたことを特徴とする請求項９記載の排泄物回収器具。
【請求項１１】
前記回収袋支持部が透明あるいは半透明な部材で構成されていることを特徴とする請求項１〜１０のいずれか１項に記載の排泄物回収器具。
【発明の詳細な説明】
【技術分野】
【０００１】
本発明は、愛玩動物の排泄物を回収する器具に関し、特に、犬の散歩中に排出した排泄物を簡易かつ低コストで衛生的に処理するための犬の排泄物回収器具に関するものである。
【背景技術】
【０００２】
従来、犬の散歩中に排出された排泄物は、特に住宅地などにおいては、そのまま放置することができないので、ビニール袋や紙袋を持ち歩いて、落ちた排便をスコップなどで拾い上げて入れ、持ちかえっていた。この際、犬などの愛玩動物の排泄物には強烈な臭いがあるものが多く、また、手についた場合、臭いがなかなか取れないことや衛生面で好ましくないことから、この状況を改善すべく、さまざまな回収器具が提案されている。
【０００３】
例えば、排泄物が地面に落ちる前に回収する方法を採用するものとしては、犬の尻部に袋状の物を装着するタイプの回収器具や、棒状の物の先に袋状の物を備えた回収器具を犬の動きに合わせて人手により犬の尻部に追従させるタイプのものがあった。しかし、前者のタイプの回収器具では犬の激しい動きによってずれたり、犬が排泄の途中で座った際に、尻部からずれてしまい機能を果たさない場合が多く、また後者のタイプでは人手により犬の動きに追従させるため、犬が排泄の際に激しく動き回ったり、あるいは犬の排泄のタイミングを正確に判断しかねる場合には、地面に排泄物を落とすことになり、結局、地面に落ちたものを、人手により回収しなければならない状況になる場合が少なくなかった。
【０００４】
例えば、特許文献１には、取っ手を備えた外枠の中をくりぬき、そのくりぬき部に袋状のものを糊付けした回収器具が開示されているが、犬の臀部への追従操作を必要とすることから、やはり排泄物を取りこぼすことは避けられない状況であった。このため、結局のところ、一度地面に落ちた排泄物を回収するための回収器具が必要となり、さまざまな回収用具が提案されている。このような技術は、例えば特許文献２、あるいは特許文献３に開示され、このうち、特許文献２では、はさみ状の排泄物つかみ器具に、袋部を係止する係止部を設け、つかみ器具と袋部とを組み合わせた状態の回収器具が開示されている。また、特許文献３によれば、ダンボールを所定の形状に裁断して、所定の切り込みを入れることでハサミ状にし、全体を使い捨て可能とした回収器具が開示されている。
【０００５】
他方、愛玩動物の散歩は毎日のように繰り返されるため、回収器具に係るコスト低減は重要な課題となっており、さまざまな工夫がなされていた。
例えば、特許文献４および特許文献５によれば、排泄物の回収に使い捨て可能な、袋状の回収袋を使用する回収器具が開示されている。
【特許文献１】実開昭６３−１６５１４９号公報
【特許文献２】実開昭６３−１５１７４８号公報
【特許文献３】実用新案登録第３０９３１９７号公報
【特許文献４】実用新案登録第３１０６４６３号公報
【特許文献５】特開２００５−６５５７９号公報
【発明の開示】
【発明が解決しようとする課題】
【０００６】
しかしながら、特許文献２の方法では、地面と接する「袋部の底面中央付近」に排泄物を取り込む穴が開けられているが、この穴に排泄物を正確に通すにはかなりの試行錯誤や慣れが必要であり、排泄物がたまたま大きい場合には取り込めないおそれがあり、逆に排泄物がたまたま小さい場合には、穴が相対的に大きすぎることになり、一度取り込まれた排泄物が出てきてしまうおそれもあった。
【０００７】
また、特許文献３の方法では、使い捨て部全体がかなり大きく、使い捨て部を持ち帰る際や、使い捨ての際にかさばるという問題があった。また、この回収器具は掴む機能だけを有しているのに過ぎないので、結局、排泄物の回収の際に、別途、回収袋を用意する必要があり、回収袋に排泄物を入れる際に手に排泄物の一部が付着するおそれがあった。
【０００８】
また、特許文献４および特許文献５の方法では、ポリ袋などを回収袋として使用することができるので経済性に優れるという利点は有しているものの、棒状の物の先に袋状の物を備えた回収器具を犬の動きに合わせて人手により犬の尻部に追従させるタイプのものであり、排泄物を地面に落とした場合には対応できないものであった。
【０００９】
本発明では、前記先行特許文献では解決されていなかった上記のような課題を解決するべく、回収袋を利用しつつも、地面に落ちている排泄物の回収を可能とする排泄物回収器具の提供を目的とする。
さらに、使い捨て部に軽量かつコンパクトな回収袋を用いることで携帯性を向上させると共に、廃棄部分の体積を削減し経済性に優れた排泄物回収器具の提供を目的とする。
そして、排泄物の取り込みの際に操作者の手などにかかる無理な負担を軽減すると共に、取り込んだ排泄物を回収容器ごと廃棄可能とすることで、排泄物の取り込みから廃棄の過程まで、排泄物で手を汚すことなく、衛生的に回収できる排泄物回収器具の提供を目的とする。
【課題を解決するための手段】
【００１０】
上記目的を達成するために、請求項１記載の発明は、左右のアーム部を備え、該左右のアーム部は、該左右のアーム部の第１の端部で、開閉可能なように連結され、該左右のアーム部は該連結部を中心として、略逆Ｖ字状の形状を構成し、
さらに、該左右のアーム部の両方のアーム部の第２の端部には、両端が開放され、内径部と外径部とを有する略筒状の、排泄物を格納する回収袋を取り付けるための回収袋支持部を備えたことを特徴とする。
【００１１】
請求項２記載の発明は、左右のアーム部を備え、該左右のアーム部は、該左右のアーム部の第１の端部で、開閉可能なように連結され、左右のアーム部は該連結部を中心として、略逆Ｖ字状の形状を構成し、さらに、該左右のアーム部の一方のアーム部の第２の端部には、両端が開放され、内径部と外径部とを有する略筒状の、排泄物を格納する回収袋を取り付けるための回収袋支持部を備え、もう一方のアーム部の第２の端部には、排泄物を挟み込む蓋部を備えたことを特徴とする。
【００１２】
請求項３記載の発明は、請求項１または２において、前記左右のアーム部を連結する前記連結部付近に、該左右のアーム部に対して前記逆Ｖ字状のＶ字のはさみ角を小さくする方向に押圧された場合に、反力を発生する弾性体を備えたことを特徴とする。
【００１３】
請求項４記載の発明は、請求項１または２において、前記左右のアーム部が、略Ｕ字状の弾性を有する湾曲部を介して接続、あるいは該湾曲部を含む形で一体成形、されていることを特徴とする。
【００１４】
請求項５記載の発明は、請求項１乃至４において、前記回収袋支持部には、該回収袋支持部の内径部に、前記回収袋の開口部を貫通して通した上で、該回収袋の開口部が所定の幅の分だけ折り返され、該回収袋の折り返された部分は、所定の留め具により押圧されて、該回収袋支持部の外径部に固定されていること、を特徴とする。
【００１５】
請求項６記載の発明は、請求項１乃至５において、前記回収袋支持部には、回収袋支持部の外側の全周あるいは一部に、前記回収袋を固定する固定器具を係合するための、凹部または凸部の部位を設けたことを特徴とする。
【００１６】
請求項７記載の発明は、請求項１乃至６において、前記左右のアーム部と前記回収袋支持部との接続部において、該アーム部が伸びる軸の方向と、該回収袋支持部の両端の開放部の中心を結ぶ軸の方向と、で構成される取り付け角度α、を鋭角にしたことを特徴とする。
【００１７】
請求項８記載の発明は、請求項１乃至７において、前記回収袋支持部の形状を略円筒状としたことを特徴とする。
【００１８】
請求項９記載の発明は、前記回収袋支持部の底面を略平板形状に構成したうえで、前記左右のアーム部と前記回収袋支持部との接続部において、該アーム部が伸びる軸の方向と、該回収袋支持部の底面に鉛直な軸の方向と、で構成する取り付け角度θ、を鋭角にしたことを特徴とする。
【００１９】
請求項１０記載の発明は、前記取り付け角度θを可変可能としたことを特徴とする。
【００２０】
請求項１１記載の発明は、前記回収袋支持部が透明あるいは半透明な部材で構成されていることを特徴とする。
【発明の効果】
【００２１】
請求項１記載の発明によれば、左右のアーム部の第１の端部どうしを、開閉可能なように連結し、左右のアーム部は該連結部を中心として、略逆Ｖ字状の形状を構成し、左右のアーム部の第２の端部にはそれぞれ、排泄物を格納する回収袋を取り付けるための回収袋支持部を備えているので、左右のアーム部を両脇から押圧することにより、第２の端部に設けられた回収袋支持部どうしが、排泄物を挟むように可動可能となるという効果を奏する。また、回収袋という軽量でコンパクトな回収容器を採用しながらも、地面に落ちた排泄物を手を汚さずに回収できるという利点がある。
【００２２】
また、請求項２記載の発明によれば、左右のアーム部の第１の端部どうしを、開閉可能なように連結し、左右のアーム部は該連結部を中心として、略逆Ｖ字状の形状を構成し、左右のアーム部の第２の端部にはそれぞれ、排泄物を格納する回収袋を取り付けるための回収袋支持部と、排泄物を回収袋に導くための蓋部を設けたので、回収袋支持部と蓋部とで、排泄物を挟むように可動可能となるという効果を奏する。
【００２３】
また、請求項３記載の発明によれば、左右のアーム部を連結する連結部付近に、左右のアーム部に対して逆Ｖ字状のＶ字のはさみ角を小さくする方向に押圧された場合に、反力を発生する弾性体を備えるようにしたので、押圧する力を解放するだけで、この弾性体の発生する反力により、アームが元の位置に戻るという効果を奏する。
【００２４】
また、請求項４記載の発明によれば、左右のアーム部どうしが、略Ｕ字状の弾性を有する湾曲部を介して接続、あるいは該湾曲部を含む形で一体成形される構造としたので、左右のアーム部に対して逆Ｖ字状のＶ字のはさみ角を小さくする方向に押圧された場合に、押圧する力を解放するだけで、この湾曲部の弾性による反力により、左右のアーム部が元の位置に戻るという効果を奏する。
【００２５】
また、請求項５記載の発明によれば、回収袋支持部には、回収袋支持部の内径部に、回収袋の開口部を貫通して通した上で、さらに、回収袋の開口部が所定の幅の分だけ折り返され、この回収袋の折り返された部分は、所定の留め具により押圧されて、回収袋支持部の外径部に固定されるようにしたので、回収袋が回収袋支持部から外れにくいという効果を奏する。
【００２６】
また、請求項６記載の発明によれば、回収袋支持部には、回収袋支持部の外側の全周あるいは一部に、前記回収袋を固定する固定器具を係合するための、凹部または凸部の部位を設けたので、回収袋に排泄物を格納した場合でも、回収袋が回収袋支持部から外れにくいという効果を奏する。
【００２７】
また、請求項７記載の発明によれば、左右のアーム部と回収袋支持部との接続部において、アーム部が伸びる軸の方向と、回収袋支持部の両端の開放部の中心を結ぶ軸の方向とで構成される取り付け角度αを鋭角にしたので、アーム部を外側から押圧して、回収袋支持部と回収袋支持部とで、あるいは回収袋支持部と蓋部とで、排泄物を挟み込む場合において、排泄物を確実に捕捉し、回収袋に導入できるという効果を奏する。
【００２８】
また、請求項８記載の発明によれば、回収袋支持部の形状を略円筒状としたので、地面に接する部位を、操作者が任意に選択できるので、操作者の手首の角度を無理の無い角度に保つことができ、人間工学的に優れた操作性を実現することができる。
【００２９】
また、請求項９記載の発明によれば、回収袋支持部の底面を略平板形状に構成したうえで、左右のアーム部と回収袋支持部との接続部において、アーム部が伸びる軸の方向と、回収袋支持部の底面に鉛直な軸の方向とで構成する取り付け角度θを鋭角にしたので、アーム部を両外側から押圧操作する場合に、手首を返さなくても操作できるという利点がある。また、回収袋支持部の底面を略平板形状に構成したので、排泄物を回収し易いという効果がある。
【００３０】
また、請求項１０記載の発明によれば、回収袋支持部の底面を略平板形状に構成したうえで、取り付け角度θを可変可能としたので、排泄物の回収し易さを確保した上で、操作者の手首の角度を無理の無い角度に保つことができ、人間工学的に優れた操作性を実現することができる。
【００３１】
また、請求項１１記載の発明によれば、回収袋支持部を透明あるいは半透明な部材で構成したので、排泄物を回収する際に、排泄物が確実に捕捉できたかどうかを視認しながら操作できるという効果を奏する。
【００３２】
【発明を実施するための最良の形態】
【００３３】
以下、本発明の好適な実施形態について、図面を参照して説明する。
図１は本発明の実施の形態による排泄物回収器具１０の概略構成を示す図である。図１（イ）に示されるように、本実施形態の排泄物回収器具１０は、左右のアーム部４０が一方の先端部付近で、連結部５０を介して可動なように連結されている。アーム部４０の、もう一方の先端部には回収袋支持部２０がそれぞれ接続されている。そして、回収袋支持部２０には回収袋３０が接続されている。
ここで、回収袋支持部２０は、両端とも開口された、略筒状の管状構造を有しており（なお、断面は円形あるいは楕円形あるいは略長方形であってもよい）、回収袋３０は片方の端が開口された袋状の形状を有している。
【００３４】
回収袋３０は、回収袋支持部２０の内径部の内側に、回収袋３０の開口部を一旦貫通して通した上で、開口部が所定の幅の分だけ折り返された形で、回収袋支持部２０の外側に取り付けられている。ここで、回収袋３０の折り返された部分は、所定の留め具により固定されている。
このような構成により、左右のアーム部４０は連結部５０を支点として、もう一方の端部が開閉可能なように構成されている。
また、左右のアーム部４０には連結角度調整部５２が一方の先端付近に接続されており、この連結角度調整部５２により、左右のアーム部４０のはさみ角（開閉角度）が所定の角度以上には開かない様に制限されている。
【００３５】
さらに、左右のアーム部４０には弾性体６０が固着されており、この弾性体６０により左右のアーム部４０のはさみ角（開閉角度）を広げるような力が作用しており、アームのはさみ角を狭める方向の力（外側から左右のアーム部４０を押さえつける方向の力）を加えて開閉角度を狭めた後、この押さえつける力を解放するだけで、後は弾性体６０の反力により左右のアーム部は自動的に開いて、さきの連結角度調整部５２により制限された開閉角度まで戻ることできるようになっている。そして、地面に落ちた排泄物は、左右のアーム部４０を外側から押さえつける力を加えることにより、左右の導入口３０Ａが排泄物を挟み込み、この導入口３０Ａから回収袋支持部２０の内側を経由して回収袋３０に回収されることになる。
【００３６】
また、本発明に用いるアーム部および弾性体としては、図１（イ）に記載した実施例に限らず、次に示すような構成であってもよい。
たとえば、図１（ロ）に示すように、板状の弾性体６０をコイルスプリング状の弾性体６２に変形して構成することもできる。この場合において、弾性体６２は、連結部５０と中心軸を共通にするようにして、連結部５０を取り巻くように配置されている。そして、弾性体６２の両端は直線状に伸ばされて、左右のアーム部４０にそれぞれ接するように構成されている。このため、この弾性体６２により左右のアーム部４０のはさみ角（開閉角度）を広げるような力が常に作用しており、アーム部の外側から左右のアーム部４０を押さえつける方向の力を加えて開閉角度を狭めた後、この押さえつける力を解放するだけで、後は弾性体６２の反力により左右のアーム部は自動的に開いて、さきの連結角度調整部５２により制限された開閉角度まで戻ることできるようになっている。
【００３７】
あるいは、図１（ハ）に示すように、アーム部とは別に弾性体を設けず、アーム部全体、あるいはアーム部の一部に弾性を持たせるようにしてアーム部を構成してもよい。この場合において、アーム部４２は、湾曲部４２Ａをほぼ中心として左右に伸びる直線状の部位４２Ｂおよび４２Ｃを含む形で構成されている。アーム部４２は、少なくとも湾曲部４２Ａ部において、弾性を持つように構成することができる。このため、アーム部の外側から左右のアーム部４２を押さえつける方向の力を加えて開閉角度を狭めた後、この押さえつける力を解放するだけで、後は湾曲部の弾性に基づく反力により左右のアーム部は自動的に開いて、元の開閉角度まで戻ることできるようになっている。
【００３８】
図２は、本発明の一実施の形態による排泄物回収器具の構成を示す正面図である。図２では、アーム部４０の端部４０Ｄには、回収袋支持部２０が接続されており、アーム部４０の軸線に対しやや鋭角を構成するような角度αで接続されている様子が示されているが、これに限られるものではなく、たとえば、接続の角度αはボルトなどにより調整が可能なように構成することができる。
【００３９】
図３は、図１においてX方向から見た、本発明の一実施の形態による排泄物回収器具の構成を示す側面図である。ここで、図３では、回収袋支持部２０の断面形状が円形の破線で示されているが、この断面形状は円に限られるものではなく楕円、もしくは長方形などであってもよい。
【００４０】
図４Ａは、本発明の実施の形態において、回収袋３０を回収袋支持部２０と組み合わせて接続するまでの仕組みを示す図である。
回収袋支持部２０は外面（２０Ａ〜２０Ｃ）と内面（２０Ｄ）とからなる、両端が開放された断面が略円柱状の筒状の形状を有している。回収袋支持部２０の外側は太外径部２０Ａ、段差部２０Ｂ、および細外径部２０Ｃとで構成されており、回収袋支持部２０の内側は太外径部から細外形部まで連続した断面形状を有する内径部２０Ｄで構成されている。
ここで、回収袋支持部２０の材質は前述のような段差部（あるいは凹部や凸部）を備えるような形状を有していて、ある程度の強度があれば足り、例えば、ダンボールのような紙材で構成されていてもよいし、金属やプラスチックに代表される樹脂のような材質であっても構わない。この点、たとえば樹脂を採用する場合には、透明または半透明な態様にすることができ、その場合、排泄物が確実に捕捉できたかどうかを視認しながら作業することができるという効果を奏する。
【００４１】
なお、段差部（あるいは凹部や凸部）が全周に渡って形成されていることは必ずしも必要とせず、対向して２ヶ所の段差部（あるいは凹部や凸部）が設けられているだけであってもよい。また、回収袋支持部２０の内径部は一方の開口部（上部）と、もう一方の開口部（下部：回収袋３０の空洞内に接続する部分）の開口部の大きさを調整することにより（例えば、下部の開口部を上部の開口部に比して狭める等）、一旦回収袋３０の空洞内に取り込んだ排泄物が外に洩れるのを防ぐことが可能となる。
回収袋３０は、上部に開口部を備えた袋状の構造を有しており、例えばビニールやポリエチレン製の袋を用いることができるほか、紙の袋であっても構わない。
【００４２】
固定器具７０は、回収袋３０の開口部３０Ａ付近を、回収袋支持部２０の細外径部２０Ｃの段差部２０Ｂに固定する機能を有し、その内側の形状は細外径部２０Ｃの断面の外形にほぼ等しい形状を有している。
固定器具７２は、弾性を有する輪ゴム状の器具であり、固定器具７０と同様の機能を有する。
回収袋３０は、その開口部３０Ａを、前記回収袋支持部２０の下部から、内側の内径部２０Ｄに沿って、回収袋支持部２０の上部まで貫通して通した上で、回収袋３０の開口部を所定の幅の分だけ折り返された形で、固定器具７０もしくは７２により、回収袋支持部２０の外側で固定されている。回収袋３０を折り返す幅は、少なくとも、回収袋支持部２０の外側の太外径部２０Ａの幅に、固定器具７０もしくは７２で固定するに必要な幅を加えた幅であれば足りる。
回収袋３０の折り返し部分は固定器具７０もしくは７２で固定されていることに加え、段差２０Ｂの存在により、挟み込み部３０Ｂが形成されるため、回収袋３０が回収袋支持部２０から容易には、はずれないようにずれないように固定される。
【００４３】
以上のように、開閉可能な構造を有する左右のアーム部４０に、回収袋３０と回収袋支持部２０とを組合わせるので、回収袋支持部２０は回収袋３０によってカバーされた状態となり、かつ回収袋３０の一部が導入部３０Ａを形成する結果、左右のアーム部４０を操作するだけで排泄物を回収することができるので、手を汚さないことはもちろんのこと、さらに、回収袋支持部２０を汚すこと無く排泄物を回収することが可能となる。そして、回収袋３０は使い捨て可能なので、排泄物回収器具を汚さずに衛生的に保管できるという効果を奏する。また、回収袋は買い物袋やゴミ用の袋なども転用できるので安価に構成でき、経済面でも優れた効果を奏する。
【００４４】
なお、図４Ａでは太外径部２０Ａは、ある程度の厚みを有するように図示されているが、たとえば細外形部に対し環状の厚紙などを貼り付けたものであってもよく、要は段差２０Ｂ（あるいは凹部や凸部）を構成しさえすれば足りる趣旨であり、図示の形状に限定されるものではない。
また、太外径部２０Ａの開口部は図４Ａ（イ）および（ロ）では、一定の厚みがあるように図示されているが、これに限定されるものではなく、たとえば金属あるいは樹脂で構成されている場合には図４Ａ（ハ）に示す回収袋支持部の導入部２０Ｅのようにテーパー状に厚みを変化させるようにしてもよい。このような開口部の形状によれば、回収袋支持部２０の材質によっては開口部に一定の厚みが生じるところ、材質に影響されないで、排泄物の取り込みの際に、排泄物の引っかかりを防ぐことができる。
【００４５】
図４Ｂは、回収袋支持部２０の代わりに回収袋支持部２２を用いた例を示す図である。前述のように、回収袋の折り返し部を固定するには、段差部（あるいは結果的に凹部や凸部）が設けられていれば足り、図に示すように回収袋支持部２２の一部に溝部２２Ｂを設けることで、前記と同様の機能を果たすことができる。もちろん、この場合も全周に渡って溝を設ける必要はなく、一部に対向して切り欠き部を設けるだけでも足りる趣旨である。
この場合も図４Ａの説明と同様に、回収袋支持部２２は回収袋３０によってカバーされた状態となり、かつ回収袋３０の一部が導入部３０Ａを形成する結果、排泄物を回収する際に、人手はもちろん、さらに回収袋支持部２０を汚すこと無く排泄物を回収することが可能となる。
なお、図４Ａおよび図４Ｂにおいて、回収袋支持部２０および回収袋支持部２２の全長が、外径に比してやや長めに図示されているが、これに限定される趣旨ではなく、全長は外径に比して同程度あるいは短く形成されていても構わない。
【００４６】
図５は、本発明の一実施の形態による排泄物回収器具の構成を示す断面図である。図５によると、回収袋３０は、回収袋支持部２０の内側の内径部２０Ｄに沿って、回収袋支持部２０の右端の開口部まで貫通して通した上で、回収袋３０の開口部を所定の幅の分だけ折り返された形で、固定器具７０もしくは７２により、回収袋支持部２０の外側で固定されている様子が示されている。
また、回収袋支持部２０の内側の内径部２０Ｄは、（外側に段差２０Ｂを備えるのとは対照的に）ほぼ連続した断面を有していることが示されている。この結果、排泄物９０は内径部２０Ｄをスムーズに通り抜け、回収袋３０に導入することができる。
【００４７】
図６（イ）は本発明の一実施の形態による排泄物回収器具の概略構成を示す図である。図１では、左右のアーム部の先に回収袋支持部２０が接続された例を示したが、回収袋支持部２０はいずれか一方のアーム部に備えていれば足り、例えば、図６に示すように片側のアーム部の先端部分には（対向する回収袋支持部２０に対し蓋をするような）蓋部８０を備えるようにしてもよい。
この場合において、図６（ロ）に示すように、蓋部８０に、開口部を有する袋状の物３２を被せて、その開口部をアーム部４２に略「Ｕ字」状の留め具により固定するようにしてもよい。また、図６（ハ）に示すように、蓋部８０の形状を略直方体に形成して、蓋部８０の全体を被うようなシール部材３４を表面に貼り付けるようにしてもよい。このような構成をとった場合、排泄物を回収する際に蓋部８０を汚すこと無く排泄物を回収することができる。そして、袋状の物３２やシール部材３４は使い捨て可能なので、排泄物回収器具を衛生的に保管できるという効果を奏する。
【００４８】
図７は、図６に示す構成を基にした本発明の一実施の形態による排泄物回収器具の作用を示す概略側面図である。
図７（イ）によれば、アーム部４２の両脇部４２Ｃと４２Ｂを外側から押さえつける力を作用させることで、湾曲部４２Ａが湾曲して蓋部８０と回収袋支持部２０の間隔が狭まっていく。次に、蓋部は排泄物９０を押しながら回収袋支持部２０の導入口に運んでいく。そして、排泄物９０は、次第に回収袋支持部２０の内部に運び込まれ、排泄物回収器具１０全体を傾けること等により回収袋３０に落とし込まれて回収される。
【００４９】
図７（ロ）は、蓋部８２に突起部８２Ａを設けた場合の、排泄物の取り込みの仕組みを示した図である。この突起部８２Ａを設けたことにより、排泄物の下部を支えるようにして導入口に運び込むので、確実に排泄物を回収できると言う効果を奏する。
【００５０】
図８は、アーム部と、蓋部および回収袋支持部との接続角度を持たせるように構成した場合における、排泄物回収器具の概要を示した概略斜視図である。そして、これをｘ１方向およびｘ２方向から見た様子を示すのが、図９Ａである。
図８および図９（イ）（ロ）によれば、回収袋支持部２４には、回収袋支持部の底面に垂直な方向（鉛直方向）から取り付け角度θの角度だけ傾けるようにしてアーム部４２Ｂが接続され、同様に蓋部８４に対して取り付け角度θの角度だけ傾けるようにしてアーム部４２Ｃが接続されている。ここで、回収袋支持部２４には、図４Ａで説明したのと同様に、外面（２４Ａ〜２４Ｃ）と内面（２４Ｄ）とからなる、両端が開放された、断面の一部に水平方向の面を備えた、筒状の形状を有している。
【００５１】
次に、図８に基づいて、排泄物回収器具がこの構造を有する場合における作用について説明する。
まず、人の手１００により、左右のアーム部に対し外側から押え込むような力を加えることにより、湾曲部が変形し、蓋部８４と回収袋支持部２４とが、その間隔が狭まるように動く。そして、排泄物９０は蓋部８４により押されるようにして回収袋支持部２４の導入口に運ばれる。この場合、アーム部４２Ｂと回収袋支持部２４、および４２Ｃと蓋部８４とが、それぞれ取り付け角度θの角度だけ傾けた構造を有しているため、手首１０２をおおむね真っ直ぐにしたままアーム部４２Ｂ、４２Ｃの操作が可能となるので、取り付け角度θを持たせない場合（θが略０度の場合）は手首を返して操作する必要があるところ、その場合に比して、手首を返す必要がなく操作が楽にできるという効果を奏する。
【００５２】
なお、この場合において、回収袋支持部２４が厚みのある部材で構成されている場合には、排泄物を導入する導入口の下部は、排泄物を導入し易い様に（入り口に向かって徐々にその厚みを少なくするような）スラント形状を有するスラント部を備えるようにしてもよい。
また、図９（イ）（ロ）では、取り付け角度θを固定とした場合の構成を示したが、図９（ハ）（ニ）に示すように、取り付け角度θを調整することができるようにしてもよい。この場合、連結部の構造については、例えば、回収袋支持部２６の上部に突起部２６Ｆおよび２６Ｇ（図示せず）を対向する形で２ヶ所設けて、その間に軸棒２６Ｈを配し、この軸棒２６Ｈを包み込むように、アーム部の先を断面が円形になるようにくり貫いたアーム部を接続するようにすることができる。なお、回収袋支持部２６は軸棒２６Ｈを支点として回転するが、自重により底部２６Ｉが略水平に保たれるように動く。その結果、排泄物を回収する際に、自動的に底面が地面と平行に保たれるので、操作性に優れているという効果を奏する。
一方、図９（ホ）（ヘ）は、回収袋支持部および蓋部の構造を、断面が略長方形になるような構成とした場合における、回収袋支持部２８とアーム部４２Ｂ、および蓋部８８とアーム部４２Ｃの構成を示している。このような構成を採用した場合でも、図９（ハ）（ニ）と同様の機能を有することが分かる。
【００５３】
以上説明したように、本実施形態の排泄物回収器具によれば、犬などの愛玩動物の散歩の際に、愛玩動物が排泄した排泄物を回収するに際し、左右のアーム部を押圧する操作を行なうだけで、手を汚さないで衛生的に排泄物を回収することができる。
また、回収する容器として使い捨て可能な袋状の構造のものを利用可能にしたので、軽く持ち運びに便利であり、しかも捨てる部分の構造物が最小限の大きさ、重量で済むため経済的にも優れており、また環境面でもゴミの排出をできるだけ押さえる効果が期待できる。
もちろん、回収容器の構造を、使い捨ての袋でカバーする構造としたので、回収器具を衛生的に保つ点でも優れた効果を発揮することができる。
【産業上の利用可能性】
【００５４】
以上の説明のように、愛玩動物の排泄物回収器具としての実施例を説明してきたが、本発明によれば、汚物を簡易かつ低コストで回収できるので、他の利用例として、ゴミ拾い作業全般はもちろん公衆トイレにおける排泄物の処理など、使い方しだいで多目的に用途を広げることができる。
【図面の簡単な説明】
【００５５】
【図１】本発明の一実施の形態による排泄物回収器具の概略斜視図である。
【図２】同じく、本発明の一実施の形態による排泄物回収器具の正面図である。
【図３】同じく、本発明の一実施の形態による排泄物回収器具の側面図である。
【図４Ａ】同じく、本発明の一実施の形態による回収袋支持部と回収袋の構成の詳細を示した図である。
【図４Ｂ】同じく、本発明の一実施の形態による回収袋支持部と回収袋の構成の変形例を示した図である。
【図５】同じく、本発明の一実施の形態による排泄物回収器具の要部を正面から見た断面図である。
【図６】同じく、本発明の一実施の形態による排泄物回収器具の変形例を示した概略斜視図である。
【図７】同じく、本発明の一実施の形態による排泄物回収器具の作用を示した概略側面図である。
【図８】同じく、本発明の一実施の形態による排泄物回収器具の変形例の作用を示した概略斜視図である。
【図９】同じく、本発明の一実施の形態による排泄物回収器具の変形例の構成を示した概略側面図である。
【符号の説明】
【００５６】
１０ 排泄物回収器具    
２０，２２，２４，２６，２８ 回収袋支持部
２０Ａ 回収袋支持部の太外径部
２０Ｂ 太外径部と細外径部との段差部
２０Ｃ 回収袋支持部の細外径部
２０Ｄ 回収袋支持部の内径部
２０Ｅ 回収袋支持部の導入部
２２Ａ 回収袋支持部の外径部   
２２Ｂ 回収袋支持部の溝部
２２Ｃ 回収袋支持部の外径部   
２２Ｄ 回収袋支持部の内径部
２６Ｆ 回収袋支持部の突起部   
２６Ｈ 軸棒
２６Ｉ 回収袋支持部の底部  
２８Ｆ 回収袋支持部の突起部   
３０ 回収袋
３０Ａ 排泄物導入口
３０Ｂ 固定器具による挟み込み部
３０Ｃ 回収袋の開口部
３２ 袋
３４ シール材
４０，４２ アーム部  
４０Ａ アーム部の端部
４０Ｂ アーム部（右）
４０Ｃ アーム部（左）
４０Ｄ アーム部（右）と回収袋支持部との接合部
４０Ｅ アーム部（左）と回収袋支持部との接合部
４２Ａ 湾曲部
４２Ｂ アーム部（右）
４２Ｃ アーム部（左）
５０ 連結部
５２ 連結角度調整部
６０ 弾性体（板バネ状）
６２ 弾性体（コイルスプリング状）
７０，７２，７４ 固定器具
８０，８２，８４，８６，８８ 蓋部
８２Ａ 蓋部（下部）の突起部
８６Ｆ，８８Ｆ 蓋部の突起部
９０ 排泄物
１００ ヒトの手
α アーム部と回収袋支持部との接続角度
θ 取り付け角度
【図１】
2007029030.tif 000003
【図２】
2007029030.tif 000004
【図３】
2007029030.tif 000005
【図４Ａ】
2007029030.tif 000006
【図４Ｂ】
2007029030.tif 000007
【図５】
2007029030.tif 000008
【図６】
2007029030.tif 000009
【図７】
2007029030.tif 000010
【図８】
2007029030.tif 000011
【図９】
2007029030.tif 000012